(57)【要約】【課題】  携帯時にはコンパクトにすることができ、且つ、使用時にはワンタッチで伸びて糞の落下点に速やかに収集袋を差し出すことができる糞収集器具を提供する。【解決手段】  本体伸縮棒１１は、摺動自在に連結された径の異なる複数のパイプ１３ａ，１３ｂ，１３ｃにおいて、コイルバネ２１を軸方向に沿って伸縮可能に配置し、前記パイプ１３ａに設けられたストッパー留め口１５を前記グリップ４１に設けられたストッパー５１に係止させることによって、前記本体伸縮棒１１は、前記コイルバネ２１の弾性力に抗して縮めて短くした状態を維持し、前記グリップ４１に設けられた伸縮棒操作用ボタン５３を押すと、前記ストッパー５１が前記ストッパー留め口１５から外れ、前記コイルバネ２１の弾性力により前記本体伸縮棒１１が伸長する。【選択図】  図５
0003119777.tif 000002
【実用新案登録請求の範囲】
【請求項１】
基部にグリップを有する本体伸縮棒の先端に収集袋を備えた犬等の糞収集器具であって、
前記本体伸縮棒は、摺動自在に連結された径の異なる複数のパイプと、前記パイプの内部において軸方向に沿って伸縮可能に配置されたコイルバネとからなり、
前記パイプに設けられたストッパー留め口を前記グリップに設けられたストッパーに係止させることによって、前記本体伸縮棒は、前記コイルバネの弾性力に抗して縮めて短くした状態を維持し、
前記グリップに設けられた伸縮棒操作用ボタンを押すと、前記ストッパーが前記ストッパー留め口から外れ、前記コイルバネの弾性力により前記本体伸縮棒が伸長することを特徴とする、犬等の糞収集器具。
【請求項２】
請求項１に記載の犬等の糞収集器具であって、
前記収集袋の開口部の縁は、前記本体伸縮棒の先端に備えられたワイヤーに取付けられており、
前記パイプの内部には、相対的に基部側に位置する第1の滑車と、相対的に先端側に位置する第２の滑車とが備えられており、
前記第１の滑車と前記第２の滑車とには、ロープが架けられており、
前記ロープは、その前記第１の滑車側の一端が、前記ワイヤーに接続し、前記第２の滑車側の他端が、本体伸縮棒に摺動自在に設けられた収縮操作用つまみに接続しており、
前記収縮操作用つまみを前記本体伸縮棒の先端側へ移動させると、前記ワイヤーがリング状となることによって前記収集袋が開き、前記収縮操作用つまみを前記本体伸縮棒の基部側へ移動させると、前記ワイヤーの少なくとも一部が撓みながら前記本体伸縮棒の内部に収納されることを特徴とする、犬等の糞収集器具。
【請求項３】
請求項２に記載の犬等の糞収集器具であって、前記ワイヤーは超弾性合金からなることを特徴とする、犬等の糞収集器具。
【請求項４】
請求項１から請求項３のうちいずれか１項に記載の犬等の糞収集器具であって、前記グリップには、発光部材と、前記発光部材の点灯と消灯を切り替える発光操作用手段と、が設けられていることを特徴とする、犬等の糞収集器具。
【考案の詳細な説明】
【技術分野】
【０００１】
本考案は、犬等の糞収集器具に係る。
【背景技術】
【０００２】
犬等のペットを散歩させる時、糞を持ち帰るのは基本的なマナーとされており、衛生的に糞を収集するために、種々の糞収集器具が提案されている。例えば、特許文献１には、糞を摘んで収集する器具が開示されている。しかしながら、このような器具では、糞が地面に付着した場合には完全に回収するのが困難であった。また、特許文献２には、握柄の先端に袋体を備えており、犬が糞をする際に、糞の落下点に袋体を差し出すことによって、糞が地面に落下する前に糞をキャッチして収集する器具が開示されている。しかしながら、握柄が短いため、犬が糞をする際に俊敏に腰をかがめて袋体を糞の落下点に差し出さなければならず、高齢者等にとっては苦痛であったり、糞を取り損ねたりする恐れがあった。このような問題を解決する方法としては、握柄を長くすることが考えられるが、握柄を長くした場合、背の低い子供等にとっては携帯に不便である。
【０００３】
【特許文献１】特開２０００−６０３４７
【特許文献２】特開２００３−２８４４４４
【考案の開示】
【考案が解決しようとする課題】
【０００４】
そこで、本考案においては、携帯時にはコンパクトにすることができ、且つ、使用時にはワンタッチで伸びて糞の落下点に速やかに収集袋を差し出しすことによって、腰を屈めることなく、糞を確実に収集することができる糞収集器具を提供することを課題とした。
【課題を解決するための手段】
【０００５】
第１の考案は、基部にグリップを有する本体伸縮棒の先端に収集袋を備えた犬等の糞収集器具であって、前記本体伸縮棒は、摺動自在に連結された径の異なる複数のパイプと、前記パイプの内部において軸方向に沿って伸縮可能に配置されたコイルバネとからなり、前記パイプに設けられたストッパー留め口を前記グリップに設けられたストッパーに係止させることによって、前記本体伸縮棒は、前記コイルバネの弾性力に抗して縮めて短くした状態を維持し、前記グリップに設けられた伸縮棒操作用ボタンを押すと、前記ストッパーが前記ストッパー留め口から外れ、前記コイルバネの弾性力により前記本体伸縮棒が伸長することを特徴とする、犬等の糞収集器具である。
第１の考案の犬等の糞収集器具によれば、本体伸縮棒を構成するパイプを摺動し、パイプに設けられたストッパー留め口をグリップに設けられたストッパーに係止させることによって、容易に本体を縮めて短い状態にすることができ、グリップに設けられた伸縮棒操作用ボタンを押すと、ワンタッチで本体伸縮棒を伸長させることができる。
【０００６】
第２の考案は、第１の考案に記載の犬等の糞収集器具であって、前記収集袋の開口部の縁は、前記本体伸縮棒の先端に備えられたワイヤーに取付けられており、前記パイプの内部には、相対的に基部側に位置する第1の滑車と、相対的に先端側に位置する第２の滑車とが備えられており、前記第１の滑車と前記第２の滑車とには、ロープ（ワイヤーロープを含む）が架けられており、前記ロープは、その前記第１の滑車側の一端が、前記ワイヤーに接続し、前記第２の滑車側の他端が、本体伸縮棒に摺動自在に設けられた収縮操作用つまみに接続しており、前記収縮操作用つまみを前記本体伸縮棒の先端側へ移動させると、前記ワイヤーがリング状となることによって前記収集袋が開き、前記収縮操作用つまみを前記本体伸縮棒の基部側へ移動させると、前記ワイヤーの少なくとも一部が撓みながら前記本体伸縮棒の内部に収納されることを特徴とする、犬等の糞収集器具である。
第２の考案の犬等の糞収集器具によれば、収縮操作用つまみを移動させることにより、収集袋は、口が開き、あるいは、一部が本体収縮棒の内部に収納されて口が狭くなる。
【０００７】
第３の考案は、第２の考案に記載の犬等の糞収集器具であって、前記ワイヤーは超弾性合金（形状記憶合金を含む）からなることを特徴とする、犬等の糞収集器具である。
第３の考案の犬等の糞収集器具によれば、ワイヤーが超弾性合金からなるため、繰り返し使用してもワイヤーは円滑にリング状に戻り、収集袋の口を確実に開くことができる。
【０００８】
第４の考案は、第１の考案から第３の考案のうちいずれか１項に記載の犬等の糞収集器具であって、前記グリップには、発光部材と、前記発光部材の点灯と消灯を切り替える発光操作用手段と、が設けられていることを特徴とする、犬等の糞収集器具である。
第４の考案の犬等の糞収集器具によれば、周囲を照明するができる。
【考案の効果】
【０００９】
第１の考案の犬等の糞収集器具によれば、携帯時には、本体伸縮棒を縮めて短くすることによりコンパクトにすることができ、使用時にはワンタッチで本体伸縮棒を伸ばすことにより、腰をかがめることなく糞の落下点に速やかに収集袋を差し出し、糞が地面に落下する前に糞を確実に収集することができる。
第２の考案の犬等の糞収集器具によれば、第１の考案の効果とともに、収縮操作用つまみを移動させることにより、携帯時には収集袋の一部を本体伸縮棒の内部に収納してコンパクトにすることができ、使用時には収集袋を開くことができる。
第３の考案の犬等の糞収集器具によれば、第２の考案の効果とともに、繰り返し使用しても収集袋を円滑に開くことができる。
第４の考案の犬等の糞収集器具によれば、第１の考案から第３の考案の効果とともに、使用時に周囲を照明することにより、暗いときでもよく見える。
【考案を実施するための最良の形態】
【００１０】
以下、図面を参照しながら、本考案を実施するための最良の形態について説明する。図１は、本考案の実施の形態に係る犬等の糞収集器具１の正面図であり、本体伸縮棒１１が伸び、且つ、収集袋７１の開いた態様を示す。図２は、犬等の糞収集器具１の正面図であり、本体伸縮棒１１が縮んで短い状態であり、且つ、収集袋７１の一部が収納された態様を示す。図３は、図１に示す犬等の糞収集器具１の平面図であり、図４は、図２に示す犬の糞収集器具１の平面図である。図５（ａ）は、図１に示す態様の犬等の糞収集器具１の軸方向の断面図であり、図５（ｂ）は、パイプ１３ａとパイプ１３ｂとの連結部の軸方向の断面図である。さらに、図５（ｃ）は、図５（ａ）の電池収納部の軸方向の断面図である。図６は、図２に示す態様の犬等の糞収集器具１の軸方向の断面図である。図７は、図６に示す犬等の糞収集器具１のＡ−Ａ断面図であり、ロック状態におけるグリップ４１の断面を示す。
【００１１】
図１に示すように、本実施の形態に係る犬等の糞収集器具１は、基部にグリップ４１を有する本体伸縮棒１１の先端に収集袋７１を備えている。図５（ａ）に示すように、前記本体伸縮棒１１は、摺動自在に連結された径の異なる複数のパイプ１３ａ，１３ｂ，１３ｃと、パイプ１３ａ，１３ｂ，１３ｃの内部において軸方向に沿って伸縮可能に配置されたコイルバネ２１とからなる。
図６に示すように、パイプ１３ａに設けられたストッパー留め口１５を、グリップ４１に設けられたストッパー５１に係止させることによって、本体伸縮棒１１は、前記コイルバネ２１の弾性力に抗して縮めて短くした状態を維持し、グリップ４１に設けられた伸縮棒操作用ボタン５３を押すと、ストッパー５１がストッパー留め口１５から外れ、コイルバネ２１の弾性力により前記本体伸縮棒１１が伸長する。
【００１２】
具体的には、本体伸縮棒１１を伸ばした状態において先端側から順に、最も径の大きなパイプ１３ａ、次に径の大きなパイプ１３ｂ、最も径の小さなパイプ１３ｃが配置され、摺動自在に連結されている。図５（ｂ）に示すように、パイプ１３ａの基部側の開口部には、絞り部１７ａが形成されており、パイプ１３ｂの先端側の開口部には、拡径部１８ｂが形成されている。本体伸縮棒１１を伸ばした状態において、パイプ１３ａの絞り部１７ａと、パイプ１３ｂの拡径部１８ｂとが係合し、外れないよう連結されている。パイプ１３ｂとパイプ１３ｃも、パイプ１３ａとパイプ１３ｂと同様に連結されている。パイプ１３ｃの基部側は、グリップ４１の内部に固定されている。尚、パイプの材質は特に限定されるものではなく、アルミ等の金属および合金等を使用することができる。
【００１３】
図５（ａ）に示すように、コイルバネ２１は、その一端がパイプ１３ａの内部に設けられた隔壁１９ａに当接しており、パイプ１３ａ，１３ｂ，１３ｃを貫通し、他端はグリップ４１の内部に当接している。本体伸縮棒１１の最も先端側に位置するパイプ１３ａを、コイルバネ２１の弾性力に抗して摺動しながらグリップ４１に近づけると、パイプ１３ａの中にパイプ１３ｂ及びパイプ１３ｃが入れ子状に収納されているような状態となり、本体伸縮棒１１を縮めて短くすることができる（図６参照）。パイプ１３ａには、一部を切り欠いてストッパー留め口１５が形成されており、ストッパー留め口１５をグリップ４１の内部に設けられたストッパー５１に係止することによりロック状態となり、本体伸縮棒１１は短い状態を維持する。
【００１４】
図７は、図６に示す犬等の糞収集器具のＡ−Ａ断面図を拡大して示しており、ロック状態におけるグリップ４１の断面を示している。
グリップ４１は樹脂製であり、開口部４３有する略円弧状内面４６ａと、略円弧状内面４６ａに相対向する略円弧状内面４６ｂと、一対の平行な内面４６ｃ，４６ｄとに囲まれた中空部４５が設けられている。開口部４３には、中空部４５側から伸縮棒操作用ボタン５３が嵌め込まれている。伸縮棒操作用ボタン５３には、フランジ部５３ａが設けられており、フランジ部５３ａが中空部４５側でボタン孔４３に係合している。中空部４５内部の最も外側には、ストッパー５１を有するストッパーリング５２が配置され、ストッパーリング５２の内側に、パイプ１３ａ、パイプ１３ｂ及びパイプ１３ｃが入れ子状に収納されている。ストッパーリング５２は、略環状の金属製の部材であり、相対向する円弧部５２ａ，５２ｂと、円弧部５２ａ，５２ｂを繋ぐ一対の平行部５２ｃ，５２ｄとを有し、円弧部５２ｂの内側には突起状のストッパー５１が形成されている。平行部５２ｃ，５２ｄは平行な内面４６ｃ，４６ｄに摺動自在に内接しており、円弧部５２ａは、伸縮棒操作用ボタン５３に当接している。略円弧状内面４６ｂと、円弧部５２ｂとの間には、コイルバネ等の弾性体５５が配置されており、円弧部５２ｂは弾性体５５により弾性的に支持されており、この状態において、ストッパー５１がストッパー留め口１５に係合し、ロック状態を維持することができる。
【００１５】
伸縮棒操作用ボタン５３を押すと、伸縮棒操作用ボタン５３に当接するストッパーリング５２は、平行部５２ｃ，５２ｄが平行な内面４６ｃ，４６ｄに沿って摺動し、弾性体５５を押し縮めながら変位する。その結果、図７において二点鎖線で示すように、ストッパー５１がストッパー留め口１５から外れる。ストッパー留め口１５からストッパー５１が外れると、コイルバネ２１が元の長さに戻ろうとする弾性力によりによりパイプ１３ａ、１３ｂ及び１３ｃが摺動し、本体伸縮棒１１が伸長した状態となる。本考案においては、伸縮棒操作用ボタン５３がグリップ４１に設けられているので、グリップ４１を握ったままで、グリップ４１を握っている手の指で伸縮棒操作用ボタン５３を押すことができ、片手によるワンタッチ作業で本体伸縮棒１１を伸長させることができる。
【００１６】
収集袋７１の開口部の縁は、本体伸縮棒１１の先端に備えられたワイヤー７３に取付けられている。図３に示すように、パイプ１３ａの内部には、相対的に基部側に位置する第1の滑車９１と、相対的に先端側に位置する第２の滑車９２とが備えられており、第１の滑車９１と第２の滑車９２とには、ロープ８３が架けられている。ロープ８３は、その第１の滑車９１側の一端が、ワイヤー７３に接続し、第２の滑車９２側の他端が、本体伸縮棒１１に摺動自在に設けられた収縮操作用つまみ８１に接続しており、収縮操作用つまみ８１を本体伸縮棒１１の先端側へ移動させると、ワイヤー７３がリング状となることによって収集袋７１が開き、収縮操作用つまみ８１を本体伸縮棒１１の基部側へ移動させると、ワイヤー７３の少なくとも一部が撓みながら本体伸縮棒１１の内部に収納される。
【００１７】
具体的には、収集袋７１の開口部の縁がワイヤー７３に取付けられているため、収集袋７１の開口部はワイヤー７３に追従し、口の開いた状態（図３参照）、あるいは、一部がパイプ１３ａの内部に収納されて口が狭くなった状態（図４参照）となる。収集袋７１の材質は特に限定されるものではなく、例えば、ナイロン、ポリエチレン、ポリプロピレン等の種々のプラスチック製の袋の他、樹脂をコーティングするなどして防水性を付与した布製の袋等を使用することができる。収集袋７１をワイヤー７３に取付ける方法は、特に限定されるものではないが、例えば、粘着剤で粘着する方法、あるいは、ワイヤー７３の表面に複数の突起を設けておき、収集袋７１の縁を突起にくい込ませることによって取付ける方法を挙げることができる。これらの方法であれば、収集袋７１を容易に着脱することができる。また、収集袋７１の縁に重合部を設け、重合部にワイヤーを通すことによって、取付けてもよい。
【００１８】
図３に示すように、ワイヤー７３は、両端が束ねられたリング状であり、パイプ１３ａの内部を通るロープ８３に接続している。ロープ８３は、パイプ１３ａ内部に固定された相対的に基部側に位置する第1の滑車９１と、相対的に先端側に位置する第２の滑車９２とに順次架けられており、パイプ１３ａに設けられた切り欠き１４ａからパイプ１３ａの外へ出て、収縮操作用つまみ８１に接続している。収縮操作用つまみ８１を摺動し本体伸縮棒１１の基部側へ移動させると、ロープ８３を介してワイヤー７３がパイプ１３ａの内部へ引っ張られる。ワイヤー７３は、撓みながらパイプ１３ａの内部に引き込まれ、ワイヤー７３の一部がパイプ１３ａの内部に収納され、収集袋７１は、図４に示すように、口が狭くなった状態となる。収縮操作用つまみ８１を、基部側から先端側へ摺動させると、それに伴って、ワイヤー７３はパイプ１３ａの外に出てリング状になり、収集袋７１は図３に示すように、口の開いた状態となる。したがって、収縮操作用つまみ８１を摺動させることによって、容易に収集袋７１を開けたり、収納してコンパクトな状態にすることができる。尚、ロープ８３としては、金属線を撚り合わせたいわゆるワイヤーロープの他、繊維を撚り合わせたロープ等を使用することができる。
【００１９】
ワイヤー７３としては、種々の金属を用いることができるが、大きな変形ひずみを与えて変形させても応力を除くとほぼ元の形状に戻る、いわゆる超弾性合金を用いると、より好ましい。超弾性合金を用いれば、繰り返し使用してもパイプ１３ａから出たワイヤー７３が円滑にリング状となり収集袋７１が開く。超弾性合金としては、チタン−ニッケル合金、銅−亜鉛−アルミニウム合金、ニッケル−アルミニウム合金等、公知の種々の超弾性合金を使用することができる。
【００２０】
また、本実施の形態においては、パイプ１３ａの先端には、樹脂製の収納口８５が設けられている。収納口８５の形状は、ドーナツ状で、内面は先端になるにつれて口が広がるようにテーパー状となっており、ワイヤー７３がパイプ１３ａを出入りする際のガイドとなる。したがって、ワイヤー７３をより円滑にパイプ１３ａを出入りさせることができる。
【００２１】
パイプ１３ａには、外周に沿ってつまみストッパー８２が突設されており、収縮操作用つまみ８１を基部側へ摺動すると、パイプ１３ａに設けられたつまみストッパー８２に当接し、摺動が止められる。これにより、ワイヤー７３は、第１の滑車９１を越えて引っ張られることはない。収縮操作用つまみ８１を基部側へ摺動し、収縮操作用つまみ８１がつまみストッパー８２に当接した状態において、収縮操作用つまみ８１をさらに基部側へ摺動させようとすると、収縮操作用つまみ８１自体はそれ以上摺動できないため、パイプ１３ａが摺動しグリップ４１に近づき、その結果、伸縮棒１１を縮めて短くすることができる。図３に示す態様、すなわち収集袋７１の口が開いており、本体伸縮棒１１が伸びている態様において、収縮操作用つまみ８１を基部側に移動させると、先ずワイヤー７３の一部がパイプ１３ａ内に引き込まれて収納された状態となり、次いで本体伸縮棒１１を縮めて短くなり、図４に示す態様となる。したがって収縮操作用つまみ８１を基部側に移動させる一の動作によって容易にコンパクトな態様にすることができる。尚、つまみストッパー８２は、例えば、針金等をパイプ１３ａの外周に沿って接合したり、あるいはフランジ状の金具を接合したりして設けることができる。
【００２２】
グリップ４１には、発光部材である発光ダイオード３１と、前記発光ダイオード３１の点灯と消灯を切り替える発光操作用手段とが設けられている。
本実施の形態においては、発光ダイオード３１は、犬等の糞収集器具１の先端方向を照射する向きで、グリップ４１の先端側に備え付けられている。発光操作用手段としては、電源であるボタン電池３５と、点灯と消灯とを切り替える手段として発光操作スイッチ３３とを有している。ボタン電池３５は、図５（ｃ）に示すように、グリップ４１の終端部に設けられた電池収納部３６に装着されている。電池収納部３６は、グリップ４１の終端に設けられた凹部３７と、凹部３７の外周面に螺合する内周面を有するキャップ３８をからなり、対をなす電極３９ａ，３９ｂが凹部３７とキャップ３８とに備えられている。ボタン電池３５を凹部３７に収納し、キャップ３８を螺合して閉めると、ボタン電池３５は、発光ダイオード３１の電源として作用するよう構成されている。発光操作用スイッチ３３がグリップ４１に設けられているため、グリップ４１を握ったままで、グリップ４１を握っている手の指で、容易に発光操作用スイッチ３３を操作することがでる。発光ダイオード３１で周囲を照明することにより、暗いときでもよく見える。
【００２３】
尚、発光ダイオード３１の光の色は特に限定されず、白色でもよいし、赤色、青色、黄色などの有色でもよい。さらに、発光部材としては、発光ダイオードの他に、レーザーを使用することもできる。また、本実施の形態においては、発光ダイオード３１の点灯と消灯とを切り替え制御する手段として、発光操作用スイッチ３３が設けられているが、これに限定されるものではない。例えば、伸縮棒操作用ボタン５３によって発光ダイオード３１の点灯と消灯を切り替えるように制御し、伸縮棒操作用ボタン５３を押すと本体伸縮棒１１が伸びると同時に、発光ダイオード３１が点灯するようにしてもよい。
【００２４】
以上の構成の犬等の糞収集器具は、以下の動作をする。
収集袋７１が開き本体伸縮棒１１が伸びている使用時の態様（図１に示す態様）において、収縮操作用つまみを基部側へ移動させると、収集袋の一部がパイプ１３ａ内に収納されて口が狭くなり、さらに収縮操作用つまみを基部側へ移動すると、パイプ１３ａ，１３ｂ，１３ｃが摺動し、本体収縮棒１１が短くなり、図２に示す最もコンパクトな携帯時の状態となる。
携帯時の状態において、グリップに設けられた伸縮棒操作用ボタンを押すと、ワンタッチで本体伸縮棒が伸長し、収縮操作用つまみを先端側へ移動すると、ワイヤーが円滑にリング状になることにより収集袋７１が開き、図１に示す使用時の状態となる。
さらに、ワイヤーが超弾性合金からなるため、繰り返し使用してもワイヤーは円滑にリング状に戻り、収集袋の口を確実に開くことができる。
また、必要に応じて周囲を照明するができる。
【００２５】
尚、弾性体５５としては、コイルバネの他に、各種バネ、ゴム類、エラストマー等を使用することができる。
【図面の簡単な説明】
【００２６】
【図１】本考案の実施の形態に係る犬等の糞収集器具の本体伸縮棒が伸び、且つ、収集袋の開いた状態を示す正面図である。
【図２】本考案の実施の形態に係る犬等の糞収集器具の本体伸縮棒が縮み、且つ、収集袋の一部が収納された状態を示す正面図である。
【図３】図１に示す犬等の糞収集器具の平面図である。
【図４】図２に示す犬等の糞収集器具の平面図である。
【図５】（ａ）図１に示す状態の犬等の糞収集器具の軸方向の断面図である。（ｂ）パイプ１３ａとパイプ１３ｂの連結部分を示す断面図である。（ｃ）電池収納部を示す軸方向の断面図である。
【図６】図４に示す状態の犬の糞収集器具の軸方向の断面図である。
【図７】図６に示す状態の犬の糞収集器具のＡ−Ａ断面図である。
【符号の説明】
【００２７】
１  犬等の糞収集器具
１１  本体伸縮棒
１３ａ，１３ｂ，１３ｃ  パイプ
１５  ストッパー留め口
２１  コイルバネ
３１  発光ダイオード
４１  グリップ
５１  ストッパー
５３  伸縮棒操作用ボタン
７１  収集袋
８１  収縮操作用つまみ
８３  ロープ
９１  第１の滑車
９２  第２の滑車
【図１】
0003119777.tif 000003
【図２】
0003119777.tif 000004
【図３】
0003119777.tif 000005
【図４】
0003119777.tif 000006
【図５】
0003119777.tif 000007
【図６】
0003119777.tif 000008
【図７】
0003119777.tif 000009